(57)【要約】【課題】パターのスイートスポットでのパッティングと目標に対するストロークの直線性及び方向性の感覚を習熟できる練習器を提供すること。【解決手段】パターのシャフトに着脱自在に固定される取付金具を介してレーザー照射器を取り付けてなるパッティング練習器であって、前記取付金具は、前記シャフトに締付固定される固定部材と、該固定部材に移動調節自在に連結される継手部材と、該継手部材に設けられた照射器ホルダーとを備え、前記取付金具を調節することによりレーザー照射器のレーザー光線がパターのスイートスポットの上方を通過してパッティングにより転動するボールの表面を照射するように角度調節可能になっている。【選択図】図１
2007068652.tif 000002
【特許請求の範囲】
【請求項１】
パターのシャフトに着脱自在に固定される取付金具を介してレーザー照射器を取り付けてなるパッティング練習器であって、前記取付金具は、前記シャフトに締付固定される固定部材と、該固定部材に移動調節自在に連結される継手部材と、該継手部材に設けられた照射器ホルダーとを備え、前記取付金具を調節することによりレーザー照射器のレーザー光線がパターのスイートスポットの上方を通過してパッティングにより転動するボールの表面を照射するように角度調節可能になっていることを特徴とするパッティング練習器。
【請求項２】
パターはＬ字形パター等の少なくともスイートスポットの上方に空間を有するものであることを特徴とする請求項１に記載のパッティング練習器。
【請求項３】
継手部材は固定部材からシャフトの後方位置に延びる第１の継手アームと該継手アームから下方に延びる第２の継手アームとからなり、第１の継手アームは固定部材に対して回転自在で所定の角度位置に調節固定されると共に第２の継手アームは第１の継手アームに対して水平方向へ回転自在で所定の向きに調節固定され、かつ昇降自在で所定の高さ位置に調節固定されるものであることを特徴とする請求項１又は２に記載のパッティング練習器。
【請求項４】
平板状のベース板の一端にカップの径と等しくした内径の半円状のカップ枠を設けたパッティング練習用のカップ本体と、該カップ本体のベース板上に取付金具を介して着脱自在に取り付けられるレーザー照射器とからなり、前記取付金具を調節することによりレーザー照射器のレーザー光線が前記半円状のカップ枠の中心部を通過するように角度調節可能になっていて、カップ枠を目標としてパッティングされたボールが前記レーザー光線の線上にあるときに前記レーザー光線がボールの表面を照射するようになっていることを特徴とするパッティング練習器。
【請求項５】
取付金具はベース板にポール部材を立設して取り付けられることを特徴とする請求項４に記載のパッティング練習器。
【請求項６】
カップ枠の高さがゴルフボールの半径と略等しい高さになっていることを特徴とする請求項４又は５に記載のパッティング練習器。
【発明の詳細な説明】
【技術分野】
【０００１】
本発明は、レーザー照射器を取り付けたパッティング練習器に係り、パターのスイートスポットでのパッティングと、目標に対するストロークの直線性及び方向性の感覚を習熟できる練習器に関するものである。
【０００２】
詳しくは、パターに着脱自在に取り付けたレーザー照射器により、パターフェースが狙う標的をレーザー光線の照射によって、目で見える形でフェースの方向とテークバック及びフォロースルー時にゴルフボールの中心に照射できるかどうかによって、ストロークの善し悪しの認識と矯正を同時に行うことのできる練習器である。
【背景技術】
【０００３】
従来より、パターのヘッドやシャフトにレーザー照射器を取り付けたパター練習器が種々提案されており、ヘッドに設ける形式のものとしては、例えば、ヘッド内部にレーザー発光素子を内蔵したものやヘッドに固定したレーザー照射器から照射されたレーザー光線を表示板に照射する形式のもの等がある。また、パターのシャフトにレーザー照射器を取り付ける形式のものとしては、シャフトとヘッドとのネック部に取り付けたものやシャフトからアーム等の取付部材を突出させて該取付部材でレーザー照射器を保持させたもの等がある。
【特許文献１】実開平５−６８５７４号公報
【特許文献２】特開２００３−３０５１４８号公報
【特許文献３】実開平６−５２８６８号公報
【特許文献４】実開平６−３６６６４号公報
【発明の開示】
【発明が解決しようとする課題】
【０００４】
ゴルフのパッティング練習において重要な点は、実践で使用するパターで如何に練習できるか、という点であるところ、従来のパッティング練習器にあっては、全て練習専用のパターであるから、実践で使用するパターでの練習にはならない、という点である。
【０００５】
また、各特許文献に記載のパッティング練習器は単なるアイデア的なものが殆どであって、例えば、レーザー光線とパッティングされて転がっていくボールとの関係で捉えるようにしたものはなく、その他練習器として実施する場合には具体的な構成や手段等を検討する必要がある。
【０００６】
パッティングにおいては、パッテングの基本である標的を正確に狙い、正しくストロークすることである。そのためには、パターフェースの向きが標的を正確に捉え、パッテングのストロークは、パターヘッドを真後ろにテークバックすると共に、標的に向かって真直ぐにフォロースルーすることである。この単純な動作は多くのゴルファが長い日時をかけた経験と感性で習熟していく性質のものであるが、パッティング練習においてはこれらの基本動作を習熟する点にある。
【０００７】
本発明は、実践で使用するパターのシャフトに取付金具を介してレーザー照射器を着脱自在に取り付け、或いは半円状のパッティング練習用のカップ本体にレーザー照射器を取り付けて、レーザー照射器のレーザー光線をパッティングにより転動するボールの表面に照射させることにより、パターのスイートスポットでのパッティングと目標に対するストロークの直線性及び方向性の感覚を習熟できる練習器を提供することを目的とする。
【課題を解決するための手段】
【０００８】
本件第一発明に係るパッティング練習器は、パターのシャフトに着脱自在に固定される取付金具を介してレーザー照射器を取り付けてなるパッティング練習器であって、前記取付金具は、前記シャフトに締付固定される固定部材と、該固定部材に移動調節自在に連結される継手部材と、該継手部材に設けられた照射器ホルダーとを備え、前記取付金具を調節することによりレーザー照射器のレーザー光線がパターのスイートスポットの上方を通過してパッティングにより転動するボールの表面を照射するように角度調節可能になっていることを特徴とする。
【０００９】
この場合、パターは実践で使用されるパターであることが望ましく、Ｌ字形パター等の少なくともスイートスポットの上方に空間を有するものであることが望ましい。
【００１０】
前記継手部材の好ましい態様は、固定部材からシャフトの後方位置に延びる第１の継手アームと該継手アームから下方に延びる第２の継手アームとからなり、第１の継手アームは固定部材に対して回転自在で所定の角度位置に調節固定されると共に第２の継手アームは第１の継手アームに対して水平方向へ回転自在で所定の向きに調節固定され、かつ昇降自在で所定の高さ位置に調節固定されるものである。
【００１１】
本件第二発明に係るパッティング練習器は、平板状のベース板の一端にカップの径と等しくした内径の半円状のカップ枠を設けたパッティング練習用のカップ本体と、該カップ本体のベース板上に取付金具を介して着脱自在に取り付けられるレーザー照射器とからなり、前記取付金具を調節することによりレーザー照射器のレーザー光線が前記半円状のカップ枠の中心部を通過するように角度調節可能になっていて、カップ枠を目標としてパッティングされたボールが前記レーザー光線の線上にあるときに前記レーザー光線がボールの表面を照射するようになっていることを特徴とする。
【００１２】
前記取付金具はベース板にポール部材を立設して取り付けられてレーザー照射器の俯仰角を調節し得るようになっていることが望ましく、前記カップ枠の高さはゴルフボールの半径と略等しい高さになっていることが望ましい。
【発明の効果】
【００１３】
本発明のパッティング練習器は、第一発明においては、パターのシャフトに取付金具を介してレーザー照射器を着脱自在に取り付ける形式であるから、パターは実践で使用するパターを使用することができ、前記シャフトに締付固定された固定部材に対して継手部材を移動調節することにより、レーザー照射器のレーザー光線がパターのスイートスポットの上方を通過してパッティングにより転動するボールの表面を照射することができる。
【００１４】
したがって、パッティングにより転がっていくボールの表面にレーザー光線が照射されるかどうかにより、パターのスイートスポットでのヒットかどうか、パッティングのストロークが正確なものであるかどうか、等を目視により確認することができ、これを繰り返し練習することにより正確なパッティングを習得することができる。
【００１５】
第二発明に係るパッティング練習器においては、パッティング練習用のカップ本体はカップ枠が各ホールに設置されるカップの径と等しい径の半円状をなしているから、実践でのパッティングと同じ感覚で練習することができ、また、カップ本体のベース板上にはレーザー照射器が取り付けられていて、前記カップ枠を目標としてパッティングした際に、ボールが前記レーザー光線の線上にあるときは前記レーザー光線がボールの表面を照射するようになっているから、ボールにレーザー光線が照射されないときは不正確なパッティングであることが判明すると共に、ボールにレーザー光線が照射されるときは正確にパッティングされていることが判明する。そして、これらを目視によって確認することができるから、パッティング練習を繰り返すことにより正確なパッティングを習得することができる。
【発明を実施するための最良の形態】
【００１６】
近時は手ごろな価格の小型のレーザー照射器が市販されているから、これを使用し、第一発明においては、実践で使用するパターのシャフトに取り付けるための取付金具を構成する。この取付金具は、前記シャフトに締付固定される固定部材と、該固定部材に移動調節自在に連結される継手部材と、該継手部材に設けられた照射器ホルダーとで構成し、照射器ホルダーにレーザー照射器を固定し、該取付金具を調節することによりレーザー光線がパターのスイートスポットの上方を通過してパッティングにより転動するボールの表面を照射するように角度調節する。
【００１７】
第二発明においては、平板状のベース板の一端にカップの径と等しくした内径の半円状のカップ枠を設けてパッティング練習用のカップ本体を構成し、該カップ本体のベース板上に取付金具を介して前記レーザー照射器を着脱自在に取り付ける。取付金具はベース板にポール部材を立設して取り付けられ、該ポール部材に締付固定される固定部材と、該固定部材に移動調節自在に連結される継手部材と、該継手部材に設けられた照射器ホルダーとで構成し、この照射器ホルダーに前記レーザー照射器を取り付ける。この取付金具を調節することによりレーザー照射器のレーザー光線が前記半円状のカップ枠の中心部を通過するように角度調節し、カップ枠を目標としてパッティングされたボールが前記レーザー光線の線上にあるときに前記レーザー光線がボールの表面を照射するようにする。
【実施例】
【００１８】
図１〜図４は第一発明に係るパッティング練習器の１実施例であり、図１は正面図、図２は側面図、図３は取付金具の詳細を示す正面図、図４はその側面図である。図において、２０は実践で使用されるＬ字形のパターを示し、２１はシャフト、２２はヘッド、２３はグリップである。本発明において使用されるレーザー照射器３０は筒状体の内部にレーザー発光素子、回路、電源電池等を内蔵した市販のものである。Ｂはゴルフボールである。
【００１９】
前記パター２０のシャフト２１にレーザー照射器３０を取り付けるための取付金具１は、前記シャフト２１に締付固定される固定部材２と、該固定部材２に移動調節自在に連結される継手部材３と、該継手部材３に設けられた照射器ホルダー６とで構成され、前記継ぎ手部材３は、前記固定部材２からシャフト２１の後方位置に延びる第１の継手アーム４と該継手アーム４から下方に延びる第２の継手アーム５とからなり、第１の継手アーム４は固定部材２に対して回転自在で所定の角度位置に調節固定されると共に第２の継手アーム５は第１の継手アーム４に対して水平方向へ回転自在で所定の向きに調節固定され、かつ昇降自在で所定の高さ位置に調節固定されるようになっている。
【００２０】
前記固定部材２は前記シャフト２１を挟持する対向的な２つの挟持片２ａ，２ａの一端側をボルトナット２ｂで連結し、他端側には前記第１の継ぎ手アーム４の基端部４ａを遊挿して締付金具６で締付固定するようになっている。そして、この締付金具６を緩めることにより固定金具２をシャフト２１の所定高さ位置に昇降移動でき、前記第１の継ぎ手アーム４を所定角度位置に回転させた状態で締付金具６を締め付けることにより固定することができる。
【００２１】
前記第１の継ぎ手アーム４と第２の継ぎ手アーム５は固定用シャフト８に挿通するとともに該固定用スペーサー用カラー９を介して締付金具１１により固定されるようになっている。前記照射器ホルダー６は固定用シャフト８に前記第２の継ぎ手アーム５の下端部を挿通するとともに該固定用シャフト８にスペーサー用カラー９を介して締付バンド１０の端部を挿通し、締付金具１１で締め付けることにより第２の継ぎ手アーム５への固定用シャフト８の固定と締付バンド１０によるレーザー照射器３０の固定保持とが行われるようになっている。図中、１２は照射器用カラー、１３は保持ボルト、３１はレーザー照射器３０のスイッチである。
【００２２】
図５〜図８は第二発明に係るパッティング練習器の１実施例を示し、図５は練習用のカップ本体の平面図であり、このカップ本体は、後に説明するように、図１〜図４に示すパッティング練習器のレーザー照射器３０を正確な位置に位置決め調整する際の調整治具としても使用されるものである。図６は前記カップ本体にポール部材を立設した状態の正面図、図７はカップ本体のベース板上に取付金具を介してレーザー照射器を取り付けた状態の平面図、図８はその正面図である。
【００２３】
練習用のカップ本体１４は平板状のベース板１５の一端に、各ホールに設置されているカップの径（１０８ｍｍ）と等しくした内径の半円状のカップ枠１６を設けたものであり、このカップ本体１４のベース板１５上に前記取付金具１を介して前記レーザー照射器３０を着脱自在に取り付ける。前記取付金具１は、ベース板１５にポール部材１７を立設してこのポール部材１７を前記シャフト２１に見立てて、前記シャフト２１に取り付ける要領で固定する。
【００２４】
次に、図１〜図４に示すパッティング練習器のレーザー照射器３０を正確な位置に位置決めする調整操作を説明すると、前記シャフト２１に固定金具２をスライドできる程度に取り付けた後、該固定金具２に第１の継ぎ手アーム４を、この第１の継ぎ手アーム４の先端に第２の継ぎ手アーム５を、該第２の継ぎ手アーム５の先端にレーザー照射器３０を取り付けた状態の照射器ホルダー６を順次軽く取り付ける。レーザー照射器３０の調整は、パターヘッド２２のスイートスポット２２ａ（図１）の上方をレーザー光線が通過するように取付金具１の各接合部を回転、移動をさせながらカップ本体１４を用いて標的と照射位置を一致させ、各接合部を固定する。
【００２５】
次に、図９〜図１３に基づいて練習形態を説明する。図９〜図１１はパターフェースの向きを練習する場合の例であり、レーザー照射器３０の俯仰角を調整してレーザー光線がボールＢの上部に当たる程度に調整する（図９）。これによって、アドレスした際に標的に対して正確にフェースの向きがあっているかどうかは、フェースを少し起こすことによってレーザー光線が標的を照射しているかどうかで確認することができる（図１０）。
【００２６】
図１２及び図１３はストロークの練習をする場合の例であり、標的に対してアドレスした後、テークバック又はフォロースルー中に、レーザー光線の照射位置×がボールＢの中心より左側又は右側にぶれた場合には、テークバック又はフォロースルーの矯正の必要性を認識しながら練習することができる。図１３はパッティングストロークのモデル図であり、インサイドアウトやアウトサイドインの打ち方による非直線性を示している。
【００２７】
図５〜図８に示すパッティング練習器による練習は、カップ枠１６の中心を目標としてパッティングすることにより、ボールがレーザー光線の線上にあるときにはレーザー光線がボールＢの表面を照射し、不正確なパッティングの場合にはボールＢに照射されないから、これを目視しながら練習することにより正確なストロークを習熟することができる。
【図面の簡単な説明】
【００２８】
【図１】レーザー照射器をパターのシャフトに取り付ける形式のパッティング練習器の正面図である。
【図２】同上側面図である。
【図３】取付金具の詳細を示す正面図である。
【図４】同上側面図である。
【図５】練習用のカップ本体の平面図である。
【図６】ポール部材を立設した状態の正面図である。
【図７】カップ本体のベース板上にレーザー照射器を取り付ける形式のパッティング練習器の平面図である。
【図８】同上正面図である。
【図９】図１〜４に示すパッティング練習器による練習形態を示す説明図である。
【図１０】アドレス時のレーザー光線の照射方向を示す説明図である。
【図１１】ボールとパターヘッドのフェースとの関係を示す説明図である。
【図１２】ボールにレーザー光線が照射される照射位置の説明図である。
【図１３】パッティングストロークの非直線性を示す説明図である。
【符号の説明】
【００２９】
１      取付金具
２      固定部材
３      継ぎ手部材
４      第１の継ぎ手アーム
５      第２の継ぎ手アーム
６      照射器ホルダー
１４    練習用のカップ本体
１５    ベース板
１６    カップ枠
１７    ポール部材
２０    パター
２１    シャフト
２２    ヘッド
２２ａ  スイートスポット
３０    レーザー照射器
Ｂ      ゴルフボール
【図１】
2007068652.tif 000003
【図２】
2007068652.tif 000004
【図３】
2007068652.tif 000005
【図４】
2007068652.tif 000006
【図５】
2007068652.tif 000007
【図６】
2007068652.tif 000008
【図７】
2007068652.tif 000009
【図８】
2007068652.tif 000010
【図９】
2007068652.tif 000011
【図１０】
2007068652.tif 000012
【図１１】
2007068652.tif 000013
【図１２】
2007068652.tif 000014
【図１３】
2007068652.tif 000015